(57)【要約】【課題】  本発明は、表示部の消費電力の省電力化を実現できる撮像装置を提供する。【解決手段】  撮像装置は、撮像素子と、表示部と、設定部と、制御部とを備える。撮像素子は、被写体像を撮像して画像を生成する。表示部は、画像を表示する。設定部は、ホワイトバランスの設定値を設定する。制御部は、設定値に基づいて現在の撮影環境を判定し、判定結果に応じて表示部の輝度を調整する。【選択図】    図１
2014233016.tif 000002
【特許請求の範囲】
【請求項１】
被写体像を撮像して画像を生成する撮像素子と、
前記画像を表示する表示部と、
ホワイトバランスの設定値を設定する設定部と、
前記設定値に基づいて現在の撮影環境を判定し、判定結果に応じて前記表示部の輝度を調整する制御部と、
を備えることを特徴とする撮像装置。
【請求項２】
請求項１に記載の撮像装置において、
前記設定部は、ユーザ入力により、前記設定値を設定することを特徴とする撮像装置。
【請求項３】
請求項１に記載の撮像装置において、
前記設定部は、前記画像を解析して前記ホワイトバランスを自動的に調整するオートホワイトバランス制御により、前記設定値を設定することを特徴とする撮像装置。
【請求項４】
請求項１から請求項３の何れか１項に記載の撮像装置において、
周囲の照度を検出する照度センサをさらに備え、
前記制御部は、前記判定結果と前記照度センサの検出結果とに基づいて、前記輝度を調整することを特徴とする撮像装置。
【発明の詳細な説明】
【技術分野】
【０００１】
本発明は、撮像装置に関する。
【背景技術】
【０００２】
近年、電子カメラ等の撮像装置では、高機能・多機能化の進展に伴って、消費電力が増し、充電式の電池等の電源におけるバッテリーの容量が減少する時間が早まるため、例えば撮影可能な枚数に影響を与えている。
【０００３】
そこで、撮像装置に配備されている液晶ディスプレイ（Liquid Crystal Display、LCD）等の表示部の省電力化を図り、消費電力の増大を抑制する技術が提案されている（例えば、特許文献１参照）。
【０００４】
上記の技術を利用した装置は、主な構成として、撮像するための撮像部と、周辺の照度を測定する照度センサと、画像表示用の液晶ディスプレイとを備え、照度センサの測定結果である輝度情報に基づいて、液晶ディスプレイの輝度調整を行ない、消費電力の増大を抑制している。
【先行技術文献】
【特許文献】
【０００５】
【特許文献１】特開２０１１−１６６４９１号公報
【発明の概要】
【発明が解決しようとする課題】
【０００６】
しかしながら、照度センサの輝度情報では、色成分の情報が不足しているため、現在の撮影環境を必ずしも正確に判定できない場合がある。この場合、上記の技術を利用した装置では、表示部の消費電力の省電力化を図ることができなくなる問題が生じる。
【０００７】
そこで、本発明は、上記問題を改善し、表示部の消費電力の省電力化を実現できる撮像装置を提供することを目的とする。
【課題を解決するための手段】
【０００８】
第１の発明に係る撮像装置は、撮像素子と、表示部と、設定部と、制御部とを備える。撮像素子は、被写体像を撮像して画像を生成する。表示部は、画像を表示する。設定部は、ホワイトバランスの設定値を設定する。制御部は、設定値に基づいて現在の撮影環境を判定し、判定結果に応じて表示部の輝度を調整する。
【０００９】
第２の発明は、第１の発明において、設定部は、ユーザ入力により、設定値を設定する。
【００１０】
第３の発明は、第１の発明において、設定部は、画像を解析してホワイトバランスを自動的に調整するオートホワイトバランス制御により、設定値を設定する。
【００１１】
第４の発明は、第１の発明から第３の発明の何れかにおいて、周囲の照度を検出する照度センサをさらに備える。制御部は、判定結果と照度センサの検出結果とに基づいて、輝度を調整する。
【発明の効果】
【００１２】
本発明の撮像装置は、現在の撮影環境を判定し、判定結果に応じて表示部の輝度を調整するので、表示部の消費電力の省電力化を実現できる。
【図面の簡単な説明】
【００１３】
【図１】電子カメラ１の構成例を示すブロック図である。
【図２】電子カメラ１の筐体の背面図である。
【図３】省電力モード下での電子カメラ１の動作例を示すフローチャートである。
【図４】省電力モードの設定画面の一例を示す図である。
【図５】現在の撮影環境の判定処理の一例を示すサブルーチンのフローチャートである。
【図６】現在の撮影環境の判定処理の一例を示すサブルーチンのフローチャートである。
【図７】表示モニタ１９の輝度の制御処理の一例を示すサブルーチンのフローチャートである。
【発明を実施するための形態】
【００１４】
以下、図面に基づいて本発明の実施の形態を詳細に説明する。
【００１５】
図１は、電子カメラ１の構成例を示すブロック図である。ここで、本発明に係る撮像装置の一実施形態である電子カメラ１は、表示部の消費電力の省電力化を行なえる省電力モードを有している。
【００１６】
電子カメラ１は、撮影光学系１０と、撮像素子１１と、信号処理部１２と、ＲＡＭ（Random Access Memory）１３と、画像処理部１４と、ＡＥ（Auto Exposure）／ＡＷＢ（Auto White Balance）検出部１５と、フラッシュメモリ１６と、記録インターフェース部（以下「記録Ｉ／Ｆ部」という。）１７と、表示インターフェース部（以下「表示Ｉ／Ｆ部」という。）１８と、表示モニタ１９と、操作部２０と、レリーズ釦２１と、音声処理部２２と、マイク２３と、スピーカ２４と、照度センサ２５と、電源２６と、ＣＰＵ（Central Processing Unit）２７と、バス２８とを備える。
【００１７】
このうち、信号処理部１２、ＲＡＭ１３、画像処理部１４、ＡＥ／ＡＷＢ検出部１５、フラッシュメモリ１６、記録Ｉ／Ｆ部１７、表示Ｉ／Ｆ部１８及びＣＰＵ２７は、バス２８を介して互いに接続されている。
【００１８】
撮影光学系１０は、一例として、焦点距離を調整するズームレンズと、撮像素子１１の撮像面での結像位置を調整するフォーカスレンズとを含む複数のレンズ群で構成されている。レンズ駆動部（不図示）は、撮影光学系１０内でズームレンズやフォーカスレンズのレンズ位置をＣＰＵ２７の指示に応じて光軸方向に調整する。なお、簡単のため、図１では、撮影光学系１０を１枚のレンズとして図示する。
【００１９】
撮像素子１１は、被写体像を撮像して、画像（アナログの画像信号）を生成する。そして、撮像素子１１が出力するアナログの画像信号は、信号処理部１２に入力される。なお、撮像素子１１の撮像面には、Ｒ（赤）、Ｇ（緑）Ｂ（青）の３種類のカラーフィルタが例えばベイヤー配列で配置されている。また、撮像素子１１の電荷蓄積時間及び画像信号の読み出しは、タイミングジェネレータ（不図示）によって制御される。撮像素子１１は、ＣＣＤ（Charge Coupled Device）型又はＣＭＯＳ（Complementary Metal-Oxide Semiconductor）型のカラーイメージセンサである。
【００２０】
信号処理部１２は、アナログフロントエンド（ＡＦＥ）回路と、Ａ／Ｄ変換部と、デジタルフロントエンド（ＤＦＥ）回路とを有している。
【００２１】
ＡＦＥ回路は、撮像素子１１が出力する画像信号に対してアナログ信号処理を施す。Ａ／Ｄ変換部は、アナログの画像信号をデジタルの画像信号に変換する。ＤＦＥ回路は、Ａ／Ｄ変換後の画像信号にデジタル信号処理を施す。なお、撮像素子１１が出力する画像信号は、バス２８を介して、画像データとしてＲＡＭ１３に一時的に記録される。ＲＡＭ１３は、揮発性のメモリであり、画像データを一時的に記録するバッファメモリの領域を有する。画像処理部１４は、ＲＡＭ１３に記録されている画像データを読み出し、必要に応じて各種の画像処理（例えば、階調変換処理、輪郭強調処理、ホワイトバランス処理等）を施す。
【００２２】
ＡＥ／ＡＷＢ検出部１５は、ＡＥ測光時には、撮影画面を多分割し、分割エリア毎に、画像データのＲＧＢ信号を積算する。ＣＰＵ２７は、ＡＥ／ＡＷＢ検出部１５が積算した積算値に基づいて被写体の明るさ（被写体輝度）を検出し、適性露出値（ＥＶ値）を算出する。ＣＰＵ２７は、適正露出値と所定のプログラム線図に従って、絞り値とシャッタースピードとを決定する。そして、ＣＰＵ２７は、撮像素子１１や絞り（不図示）を制御する。
【００２３】
また、ＡＥ／ＡＷＢ検出部１５は、ＡＷＢ調整時には、分割エリア毎にＲＧＢ信号の色別の平均積算値を算出し、その算出結果をＣＰＵ２７に提供する。ＣＰＵ２７は、色別の平均積算値に基づいて、分割エリア毎にＲ／Ｇの比とＢ／Ｇの比とを算出する。そして、ＣＰＵ２７は、Ｒ／Ｇの比とＢ／Ｇの比から、色空間における分布等に基づいて光源種の判別を行なう。そして、ＣＰＵ２７は、判別したシーンに対応する所定のホワイトバランスの調整値に基づいて、異なる光源の下で変化する白色を、適切な白さに写るように色調を補正するホワイトバランスの調整を行なう。
【００２４】
フラッシュメモリ１６は、書き換え可能な不揮発性の半導体メモリである。フラッシュメモリ１６は、電子カメラ１の制御を行なうプログラムを格納する。
【００２５】
記録Ｉ／Ｆ部１７には、着脱自在の記録媒体Ｍ１を接続するためのコネクタ（不図示）が形成されている。そして、記録Ｉ／Ｆ部１７は、そのコネクタに接続された記録媒体Ｍ１にアクセスして記録用の静止画像の記録処理等を行なう。この記録媒体Ｍ１は、例えば、カード型の不揮発性のメモリカードである。図１では、コネクタに接続された後の記録媒体Ｍ１を示している。
【００２６】
表示Ｉ／Ｆ部１８は、表示モニタ１９の表示画面上に画像等を表示するためのインターフェースを提供する。表示モニタ１９は、例えば液晶ディスプレイである。具体的には、表示モニタ１９は、液晶パネル１９ａと、その液晶パネル１９ａの背面に設置されたバックライト１９ｂとを備える。
【００２７】
バックライト１９ｂは、例えば、蛍光管又はＬＥＤ（Light Emitting Diode）からなる光源である。液晶パネル１９ａは、バックライト１９ｂからの光（連続発光）を画素単位で透過又は遮断する液晶シャッターやカラーフィルタ等を含む。
【００２８】
表示モニタ１９は、液晶シャッター、カラーフィルタ等を介して画像を出力する。これにより、表示モニタ１９は、例えば、構図確認用のスルー画像、記録用の静止画像、又は電子カメラ１の操作メニュー等を表示する。
【００２９】
ここで、液晶ディスプレイの消費電力は、電子カメラ１内の電源２６内のバッテリーの容量を消費する割合が相対的に高いため、バッテリーの寿命を延ばすには省電力化することが望ましい。そこで、本実施形態では、ホワイトバランスを利用した省電力モードにより省電力化を実現する手段を提供する。
【００３０】
操作部２０は、撮影者の操作（ユーザ入力）を受け付ける複数の釦を有しており、電子カメラ１を操作するための指示入力を受け付ける。ここで、操作部２０の具体例等について、図２を用いて説明する。
【００３１】
図２は、電子カメラ１の筐体の背面図である。ここで、電子カメラ１の筐体の上面には、レリーズ釦２１、電源釦２０ａが備えられている。
【００３２】
レリーズ釦２１は、半押し操作（撮影前におけるオートフォーカス（ＡＦ）や自動露出（ＡＥ）等の撮影準備の動作開始）と全押し操作（記録用の静止画像を取得するための撮影の動作開始）との指示入力とを受け付ける。
【００３３】
電源釦２０ａは、ユーザから、電源投入操作（電源オン）又は電源遮断操作（電源オフ）を受け付ける。
【００３４】
また、電子カメラ１の筐体の背面には、表示モニタ１９と、マイク２３と、スピーカ２４と、操作部２０として、広角ズーム釦２０ｂと、望遠ズーム釦２０ｃと、十字キー２０ｄと、モード選択釦２０ｅと、メニュー釦２０ｆとが備えられている。
【００３５】
マイク２３は、音声を音声信号（電気信号）に変換する。スピーカ２４は、音声信号を音声に変える。なお、マイク２３、スピーカ２４の数や配置は一例であって、例えば、マイク２３が、電子カメラ１の筐体の上面に備えられていても良い。
【００３６】
また、広角ズーム釦２０ｂは、焦点距離を広角側に変更し、望遠ズーム釦２０ｃは、焦点距離を望遠側に変更する。十字キー２０ｄは、上下左右の４方向と中央に操作可能な釦を有する。そして、十字キー２０ｄは、上下左右の４方向の釦の選択入力を受け付けることにより、電子カメラ１の操作メニューの設定条件の選択を受け付ける。また、十字キー２０ｄは、中央の釦の押下により、選択された設定条件の実行を受け付ける。なお、本実施形態では、十字キー２０ｄの代わりにタッチパネル方式による入力を採用しても良い。
【００３７】
また、モード選択釦２０ｅは、撮影モード又は再生モードに切り替える操作をユーザから受け付ける。メニュー釦２０ｆは、メニュー画面を立ち上げるための操作をユーザから受け付ける。
【００３８】
再び、図１の説明に戻る。音声処理部２２は、マイク２３を介して音声信号を取得して、例えば、フラッシュメモリ１６に記録する処理を行なう。又は、音声処理部２２は、フラッシュメモリ１６に記録されている音声信号をスピーカ２４を介して音声に変換し、その音声の出力処理を行なう。
【００３９】
照度センサ２５は、周囲の照度を検出する。具体的には、照度センサ２５は、受光素子に入射した光を電流に変換して明るさを検知するセンサである。
【００４０】
電源２６は、例えば充電式の電池であって、ＣＰＵ２７は、ユーザからの電源投入操作を受け付けて、動作を開始する。
【００４１】
ＣＰＵ２７は、ＡＳＩＣ（画像エンジン：Application Specific Integrated Circuit）の機能を有し、各種演算及び電子カメラ１の統括的な制御を行なうマイクロプロセッサである。ＣＰＵ２７は、電子カメラ１の各部の制御等を行なう。
【００４２】
また、ＣＰＵ２７は、ホワイトバランス設定部（以下「ＷＢ設定部」という。）２７ａと、表示制御部２７ｂとしても機能する。
【００４３】
ＷＢ設定部２７ａは、ホワイトバランスの設定値（以下、単に「設定値」という。）を設定する。具体的には、ＷＢ設定部２７ａは、例えば、ユーザ入力により設定値を設定する。
【００４４】
なお、ＣＰＵ２７は、この設定値を、ホワイトバランスの調整に用いるだけでなく、省電力モードにも用いる。つまり、本実施形態では、従来、電子カメラ１に予め備わっている機能（例えばホワイトバランス機能）を利用することで、コストアップの抑制をすることができる。
【００４５】
ここで、本実施形態では、ホワイトバランスの調整として、マニュアル設定とオート設定を備えている。マニュアル設定では、カメラメーカ等が予め想定する光源種（蛍光灯、電球、晴天、曇天等）に合わせて、予め設定されたゲイン係数を用いて、ホワイトバランスの調整を行なう。この場合、ユーザが、現在の撮影環境を判断して、表示モニタ１９のメニュー画面に従って、光源種を選択することができる。
【００４６】
これにより、ＷＢ設定部２７ａは、ユーザ入力により、選択された光源種（蛍光灯、電球、晴天、曇天等のうちの何れか１つ）を設定値として設定する。この場合、ユーザが撮影環境を目視した上で光源種を選択するので、本実施形態では、設定値の精度を向上させることができる。
【００４７】
なお、本実施形態では、説明を分かりやすくするため、蛍光灯、電球、晴天、曇天等の光源種を例示しているが、設定値は、上記の光源種に限られず、例えば、日陰、水銀灯等の他の光源種であっても良い。
【００４８】
一方、オート設定では、画像データを解析してホワイトバランスを自動的に調整するオートホワイトバランス制御を行なう。具体的には、ＣＰＵ２７は、ＡＥ／ＡＷＢ検出部１５の算出結果に基づいて、分割エリア毎にＲ／Ｇの比とＢ／Ｇの比とを算出し、色空間における分布として、蛍光灯成分、電球成分、晴天成分、曇天成分等の色温度情報に基づいて、光源種の判別を行なう。
【００４９】
これにより、ＷＢ設定部２７ａは、判別された光源種（蛍光灯成分、電球成分、晴天成分、曇天成分のうちの何れか１つ）を設定値として設定する。したがって、例えば、ユーザが天候等によっては撮影環境の判断が難しいと感じた場合、本実施形態では、オートホワイトバランス制御を行なうことにより、精度良く、設定値を設定することができる。
【００５０】
表示制御部２７ｂは、設定値に基づいて現在の撮影環境を判定し、判定結果に応じて表示モニタ１９の輝度を調整する。具体的には、表示制御部２７ｂは、表示モニタ１９のバックライト１９ｂの輝度を調整する。
【００５１】
また、ＣＰＵ２７は、図３、図５〜図７に示すフローチャートの処理（以下「フローの処理」という。）を実行する。
【００５２】
次に、電子カメラ１の動作について説明する。
【００５３】
図３は、省電力モード下での電子カメラ１の動作例を示すフローチャートである。図４は、省電力モードの設定画面の一例を示す図である。
【００５４】
ここで、ＣＰＵ２７は、操作部２０を介して、省電力モードの指示入力を受け付けると、図３に示すフローの処理を開始する。
【００５５】
ステップＳ１０１：ＣＰＵ２７のＷＢ設定部２７ａは、設定値の設定処理を行なう。具体的には、ＣＰＵ２７は、表示モニタ１９に、図４に示す省電力モードの設定画面を表示させる。これにより、ユーザは、その設定画面を見て、設定値を選択することができる。ここで、設定値としては、上記の通り、例えば、晴天、蛍光灯、電球、曇天がある。
【００５６】
なお、ＡＵＴＯ（オート）は、オートホワイトバランス（ＡＷＢ）を意味し、ＷＢ設定部２７ａは、ＡＵＴＯが選択された場合、ＡＷＢ制御を利用して、設定値を設定する。
【００５７】
図４では、一例として、ユーザ入力により、蛍光灯が選択されたことを表わしている。なお、本実施形態では、図４に示す通り、例えば、晴天（１）、蛍光灯（２）、電球（３）、曇天（４）、ＡＵＴＯ（５）というように数値で対応付けている。ＷＢ設定部２７ａは、図４の場合、一例として、ユーザ入力により選択された蛍光灯の設定値を設定する。そして、ＣＰＵ２７は、ステップＳ１０２の処理に移行する。
【００５８】
ステップＳ１０２：ＣＰＵ２７の表示制御部２７ｂは、現在の撮影環境の判定処理を行なう。具体的には、表示制御部２７ｂは、図５、６に示す、現在の撮影環境の判定処理のサブルーチンのフローの処理を実行する。詳細は図５、６を用いて後述する。判定処理のサブルーチンのフローの処理が終了すると、ＣＰＵ２７は、ステップＳ１０３の処理に移行する。
【００５９】
ステップＳ１０３：表示制御部２７ｂは、表示モニタ１９の輝度の制御処理を行なう。具体的には、表示制御部２７ｂは、図７に示す、表示モニタ１９の輝度の制御処理のサブルーチンのフローの処理を実行する。詳細は図７を用いて後述する。そして、図７に示すサブルーチンのフローの処理が終了すると、ＣＰＵ２７は、図３に示すフローの処理を終了させる。なお、ＣＰＵ２７は、電源遮断操作（電源オフ）を受け付けると、省電力モードを解除する。
【００６０】
次に、現在の撮影環境の判定処理のサブルーチンのフローの処理について説明する。
【００６１】
図５、６は、現在の撮影環境の判定処理の一例を示すサブルーチンのフローチャートである。
【００６２】
ステップＳ２０１：表示制御部２７ｂは、ユーザ入力によりＡＵＴＯが選択されたか否かを判定する。ＡＵＴＯが選択された判定結果の場合（ステップＳ２０１：Ｙｅｓ）、ＣＰＵ２７は、オートホワイトバランス制御を行なうため、後述する図６に示すフローの処理に移行する。一方、ＡＵＴＯが選択されなかった判定結果の場合（ステップＳ２０１：Ｎｏ）、ＣＰＵ２７は、ステップＳ２０２の処理に移行する。
【００６３】
ステップＳ２０２：表示制御部２７ｂは、先ず、設定値が蛍光灯であるか否かを確認する。設定値が蛍光灯である場合（ステップＳ２０２：Ｙｅｓ）、ＣＰＵ２７は、ステップＳ２０３の処理に移行する。一方、設定値が蛍光灯でない場合（ステップＳ２０２：Ｎｏ）、ＣＰＵ２７は、ステップＳ２０４の処理に移行する。
【００６４】
ステップＳ２０３：表示制御部２７ｂは、現在の撮影環境を蛍光灯下の第１の屋内（室内）と判定する。そして、ＣＰＵ２７は、図３に示すステップＳ１０３の処理に戻る。
【００６５】
ステップＳ２０４：表示制御部２７ｂは、次に、設定値が晴天であるか否かを確認する。設定値が晴天である場合（ステップＳ２０４：Ｙｅｓ）、ＣＰＵ２７は、ステップＳ２０５の処理に移行する。一方、設定値が晴天でない場合（ステップＳ２０４：Ｎｏ）、ＣＰＵ２７は、ステップＳ２０６の処理に移行する。
【００６６】
ステップＳ２０５：表示制御部２７ｂは、現在の撮影環境を晴天下の第１の屋外と判定する。そして、ＣＰＵ２７は、図３に示すステップＳ１０３の処理に戻る。
【００６７】
ステップＳ２０６：表示制御部２７ｂは、次に、設定値が電球であるか否かを確認する。なお、本実施形態の電球には、白熱電球、ＬＥＤ（Light Emitting Diode）電球が含まれる。設定値が電球である場合（ステップＳ２０６：Ｙｅｓ）、ＣＰＵ２７は、ステップＳ２０７の処理に移行する。一方、設定値が電球でない場合（ステップＳ２０６：Ｎｏ）、ＣＰＵ２７は、ステップＳ２０８の処理に移行する。
【００６８】
ステップＳ２０７：表示制御部２７ｂは、現在の撮影環境を電球下の第２の屋内と判定する。そして、ＣＰＵ２７は、図３に示すステップＳ１０３の処理に戻る。
【００６９】
ステップＳ２０８：表示制御部２７ｂは、現在の撮影環境を曇天下の第２の屋外と判定する。そして、ＣＰＵ２７は、図３に示すステップＳ１０３の処理に戻る。
【００７０】
次に、ステップＳ２０１にて、ＡＵＴＯが選択された判定結果の場合の処理について図６を用いて説明する。ここで、上述した通り、ＡＥ／ＡＷＢ検出部１５は、スルー画像の分割エリア毎にＲＧＢ信号の色別の平均積算値を算出し、その算出結果をＣＰＵ２７に提供する。ＣＰＵ２７は、Ｒ／Ｇの比とＢ／Ｇの比から光源種の判別を光源成分毎に行なう。そして、ＷＢ設定部２７ａは、設定値を設定し、その後、ＣＰＵ２７は、ステップＳ２０９の処理に移行する。
【００７１】
ステップＳ２０９：表示制御部２７ｂは、先ず、設定値が蛍光灯成分であるか否かを確認する。設定値が蛍光灯成分である場合（ステップＳ２０９：Ｙｅｓ）、ＣＰＵ２７は、ステップＳ２１０の処理に移行する。一方、設定値が蛍光灯成分でない場合（ステップＳ２０９：Ｎｏ）、ＣＰＵ２７は、ステップＳ２１１の処理に移行する。
【００７２】
ステップＳ２１０：表示制御部２７ｂは、現在の撮影環境を蛍光灯下の第１の屋内と判定する。そして、ＣＰＵ２７は、図３に示すステップＳ１０３の処理に戻る。
【００７３】
ステップＳ２１１：表示制御部２７ｂは、次に、設定値が晴天成分であるか否かを確認する。設定値が晴天成分である場合（ステップＳ２１１：Ｙｅｓ）、ＣＰＵ２７は、ステップＳ２１２の処理に移行する。一方、設定値が晴天成分でない場合（ステップＳ２１１：Ｎｏ）、ＣＰＵ２７は、ステップＳ２１３の処理に移行する。
【００７４】
ステップＳ２１２：表示制御部２７ｂは、現在の撮影環境を晴天下の第１の屋外と判定する。そして、ＣＰＵ２７は、ステップＳ１０３の処理に戻る。
【００７５】
ステップＳ２１３：表示制御部２７ｂは、次に、設定値が電球成分であるか否かを確認する。設定値が電球成分である場合（ステップＳ２１３：Ｙｅｓ）、ＣＰＵ２７は、ステップＳ２１４の処理に移行する。一方、設定値が電球成分でない場合（ステップＳ２１３：Ｎｏ）、ＣＰＵ２７は、ステップＳ２１５の処理に移行する。
【００７６】
ステップＳ２１４：表示制御部２７ｂは、現在の撮影環境を電球下の第２の屋内と判定する。そして、ＣＰＵ２７は、ステップＳ１０３の処理に戻る。
【００７７】
ステップＳ２１５：表示制御部２７ｂは、次に、設定値が曇天成分であるか否かを確認する。設定値が曇天成分である場合（ステップＳ２０６：Ｙｅｓ）、ＣＰＵ２７は、ステップＳ２１６の処理に移行する。一方、設定値が曇天成分でない場合（ステップＳ２１５：Ｎｏ）、ＣＰＵ２７は、ステップＳ２１７の処理に移行する。
【００７８】
ステップＳ２１６：表示制御部２７ｂは、現在の撮影環境を曇天下の第２の屋外と判定する。そして、ＣＰＵ２７は、ステップＳ１０３の処理に戻る。
【００７９】
ステップＳ２１７：ＷＢ設定部２７ａは、Ｒ／Ｇの比とＢ／Ｇの比から、色空間における分布等に基づいて、一番近い光源種を設定値として設定する。表示制御部２７ｂは、その設定値に基づいて、現在の撮影環境を、第１の屋内、第２の屋内、第１の屋外、第２の屋外の何れかと判定する。そして、ＣＰＵ２７は、ステップＳ１０３の処理に戻る。
【００８０】
次に、表示モニタ１９の輝度の制御処理のサブルーチンのフローの処理について説明する。
【００８１】
図７は、表示モニタ１９の輝度の制御処理の一例を示すサブルーチンのフローチャートである。
【００８２】
ステップＳ３０１：表示制御部２７ｂは、先ず、現在の撮影環境が、大枠として、屋内（第１の屋内或いは第２の屋内）か、又は、屋外（第１の屋外或いは第２の屋外）かを判定する。屋内の場合（ステップＳ３０１：Ｙｅｓ）、ＣＰＵ２７は、ステップＳ３０２の処理に移行する。一方、屋外の場合（ステップＳ３０１：Ｎｏ）、ＣＰＵ２７は、ステップＳ３０３の処理に移行する。
【００８３】
ステップＳ３０２：表示制御部２７ｂは、バックライト１９ｂを低〜中輝度未満に調整する。ここで、現在の撮影環境が第１の屋内の場合、一例として、表示制御部２７ｂは、バックライト１９ｂを低い輝度に調整する。また、現在の撮影環境が第２の屋内の場合、一例として、表示制御部２７ｂは、バックライト１９ｂを中輝度よりもやや低い輝度に調整する。
【００８４】
或いは、表示制御部２７ｂは、一例として、照度センサ２５の検出結果と上記の判定結果（例えば第１の屋内又は第２の屋内）とに基づいて、バックライト１９ｂの輝度を調整しても良い。具体的には、表示制御部２７ｂは、例えば、照度の値が予め設定した閾値未満の場合には、バックライト１９ｂを中輝度に設定する。また、表示制御部２７ｂは、例えば、照度の値が予め設定した閾値以上の場合には、バックライト１９ｂを低輝度に設定する。これにより、表示制御部２７ｂは、適切に省電力化を図ることができる。
【００８５】
そして、ＣＰＵ２７は、図７に示すフロー処理を終了し、さらに、図３のフローの処理に戻った後、そのフローの処理を終了させる。
【００８６】
ステップＳ３０３：表示制御部２７ｂは、バックライト１９ｂを中輝度以上〜高輝度に調整する。ここで、第１の屋外の場合、晴天なので、表示制御部２７ｂは、バックライト１９ｂを高輝度程度にする。つまり、晴天の場合、周囲が明るいと表示モニタ１９の視認性が低下するので、表示制御部２７ｂは、バックライト１９ｂを高輝度に調整することで視認性を向上させる。
【００８７】
また、第２の屋外の場合、曇天なので、表示制御部２７ｂは、バックライト１９ｂを中輝度程度に調整する。つまり、曇天の場合には、晴天の場合と比較して、表示モニタ１９の視認性は高いので、表示制御部２７ｂは、バックライト１９ｂを高輝度ではなく中輝度程度に調整することで省電力化を図る。このようにして、本実施形態では、屋内と屋外とにおいて、光源種に応じてさらに、例えば、第１の屋内、第２の屋内、第１の屋外又は第２の屋外というように、撮影環境を区別して輝度を調整することができる。
【００８８】
そして、ＣＰＵ２７は、図７に示すフロー処理を終了し、さらに、図３のフローの処理に戻った後、そのフローの処理を終了させる。
【００８９】
以上説明した通り、本実施形態の電子カメラ１は、ＣＰＵ２７が図３、図５〜図７に示すフローの処理を行なうことにより、現在の撮影環境を判定し、判定結果に応じて表示モニタ１９のバックライト１９ｂの輝度を調整する。これにより、電子カメラ１では、表示モニタ１９の消費電力の省電力化を実現でき、その結果として、電源２６におけるバッテリーの消耗を抑制することができる。
【００９０】
（実施形態の補足事項）
（１）上記の実施形態では、レンズ一体型のコンパクトタイプの電子カメラを例示したが、本発明の適用可能な撮像装置は、このタイプの電子カメラに限られない。すなわち、本発明の適用可能な撮像装置は、例えば、一眼レフレックスタイプの電子カメラが含まれる。また、本発明の適用可能な撮像装置は、クイックリターンミラーを必要としないレンズ交換式の電子カメラが含まれる。
【００９１】
また、本発明の適用可能な撮像装置は、カメラ機能を備えていれば、例えば、携帯電話機、スマートフォン、携帯情報端末（ＰＤＡ:Personal Digital Assistant）も含まれる。
【００９２】
（２）上記の実施形態では、表示モニタ１９として液晶ディスプレイを例示したが、これに限られず、表示モニタ１９は、例えば有機ＥＬ（Electro-Luminescence）のディスプレイであっても良い。なお、有機ＥＬのディスプレイの場合、表示制御部２７ｂは、例えばスルー画像の撮影画面を複数のブロックの領域に分けて、ブロック毎の明るさに応じて、輝度を調整するようにしても良い。これにより、表示制御部２７ｂは、さらにきめ細かく省電力化を実現できる。
【００９３】
（３）上記の実施形態では、連続発光するタイプのバックライト１９ｂを採用したが、パルス発光も可能なバックライトを採用しても良い。すなわち、表示モニタ１９は、画像を表示する液晶パネル１９ａと、その液晶パネル１９ａの背面側に配置され、連続発光若しくはパルス発光するバックライトとを有し、表示制御部２７ｂは、パルス発光のデューティ比を変えることにより、バックライトの発光状態を制御するようにしても良い。
【００９４】
つまり、表示制御部２７ｂは、液晶ディスプレイのバックライト制御を「点灯」ではなく、「点滅」制御（ダイナミック点灯）に変えても良い。これにより、上記の実施形態では、さらに、低消費電力、長寿命、低発熱を実現することができる。
【００９５】
また、表示制御部２７ｂは、バックライト１９ｂの制御を行なうと共に、液晶ディスプレイのガンマ補正を行なっても良い。具体的には、表示制御部２７ｂは、ガンマ補正として、画像等の色のデータと、その色のデータが実際に出力される際の信号の相対関係を調節して、より自然に近い表示を得るための補正処理を行なう。これにより、表示制御部２７ｂは、省電力化を実現しつつ、画面の見栄えを良くすることができる。
【符号の説明】
【００９６】
１・・・電子カメラ、１１・・・撮像素子、１９・・・表示モニタ、２７ａ・・・ＷＢ設定部、２７ｂ・・・表示制御部
【図１】
2014233016.tif 000003
【図２】
2014233016.tif 000004
【図３】
2014233016.tif 000005
【図４】
2014233016.tif 000006
【図５】
2014233016.tif 000007
【図６】
2014233016.tif 000008
【図７】
2014233016.tif 000009